【手続補正書】
【提出日】平成16年9月15日(2004.9.15)
【手続補正１】
【補正対象書類名】明細書
【補正対象項目名】００２８
【補正方法】変更
【補正の内容】
【００２８】
このような遠隔管理システム２をより具体的に説明するために、処理装置４として図２に示される画像出力装置１０を用いた場合について説明する。
画像出力装置１０は、フィルムＦに撮影された画像を光電的に読み取る読取装置であるスキャナ１２と、スキャナ１２で読み取られたフィルムＦの入力画像データに所定の画像処理を施して、処理画像データとする画像処理部１４と、画像出力装置１０全体の管理や制御、操作、通信等を行う制御・接続部１８と、画像処理部１４から出力された画像データに応じて変調した光ビームで感光材料を走査露光し、現像処理を施してプリント出力するプリンタ１６と、スキャナ１２や画像処理部１４やプリンタ１６や制御・接続部１８での稼動状況を記した稼動情報やスキャナ１２や画像処理部１４やプリンタ１６や制御・接続部１８でのエラー発生状況を記したエラー発生情報を記録保持する情報記録部１９とを備える。さらに、フィルムＦの替わりにフロッピーディスクやＺｉｐやスマートメディア等のデジタル画像記録媒体に記録された画像データを読み取り入力画像データとし、また必要に応じて出力画像データとしてデジタル画像記録媒体に書き込む読込・書込ドライブ１７を備える。
【手続補正２】
【補正対象書類名】明細書
【補正対象項目名】００３８
【補正方法】変更
【補正の内容】
【００３８】
各光源６４Ｒ、６４Ｇ、６４Ｂより射出され、互いに相異なる角度で進行する各光ビームは、それぞれに対応するＡＯＭ６２Ｒ、６２Ｇ、６２Ｂに入射する。各ＡＯＭ６２Ｒ、６２Ｇ、６２Ｂには、ドライバ５６より記録画像すなわち制御装置１４から供給された画像データに応じた、Ｒ、ＧおよびＢそれぞれの駆動信号が転送されており、入射した光ビームを記録画像に応じて変調する。
【手続補正３】
【補正対象書類名】明細書
【補正対象項目名】００３９
【補正方法】変更
【補正の内容】
【００３９】
ＡＯＭ６２Ｒ、６２Ｇ、６２Ｂによって変調された各光ビームは、ポリゴンミラー６６の略同一点に入射して反射され、主走査方向（図中矢印ｘ方向）に偏向され、次いでｆθレンズ６８によって所定の走査位置ｚに所定のビーム形状で結像するように調整され、感光材料Ａに入射する。
【手続補正４】
【補正対象書類名】明細書
【補正対象項目名】００４４
【補正方法】変更
【補正の内容】
【００４４】
制御・接続部１８は、画像出力装置１０全体の制御や管理、各種の操作や条件等の入力を行い、さらに、後述する遠隔管理装置６やインターネット等の各種ネットワークを介して顧客と接続される部分である。
制御・管理部１８は、画像出力装置１０全体の動作制御や各種の指示、管理等を行うＣＰＵと、画像出力装置１０を作動するのに必要なデータを記憶する図示されないメモリと、稼動情報やエラー発生情報を情報記録部１９に記録保持するように制御する制御部４４と、様々な条件や処理の指示（設定）、プリントするプリントサイズやプリント枚数、色／濃度補正などの各種の指示等を入力するためのキーボード４８およびマウス５０と、スキャナ１２で読み取られた画像、各種の操作指示等の様々な条件や仕様等の設定／登録画面や遠隔管理装置６より受信した通知情報等を表示するディスプレイ５１と、遠隔管理装置６と通信回線を介して接続する通信手段としてのネットワーク接続部４６とを有して構成される。
【手続補正５】
【補正対象書類名】明細書
【補正対象項目名】００４６
【補正方法】変更
【補正の内容】
【００４６】
ネットワーク接続部４６は、例えば、広域ネットワーク（ＷＡＮ：Wide Area Network)や、イーサネット等に代表されるローカルエリアネットワーク（ＬＡＮ：Local Area Network）などの各種のネットワークに接続するためのもので、例えば、制御部４４をＬＡＮに接続するためのイーサネット・カードや、制御部４４を通信回線を経てＷＡＮに接続するためのモデム等と、ネットワークへの接続用のソフトウェアとを有する。
ネットワーク接続部４６は、遠隔管理装置６に通信回線で接続される他、プリント出力サービス等を依頼する顧客等と接続される。そのため、顧客よりデジタル画像記録媒体を介することなく画像データの受け渡しをすることが可能となっている。
【手続補正６】
【補正対象書類名】明細書
【補正対象項目名】００５１
【補正方法】変更
【補正の内容】
【００５１】
プリンタ１６において、各光源６４Ｒ、６４Ｇ、６４Ｂより射出された光ビームは、画像処理部１４で処理された画像データに基づいて駆動される各ＡＯＭ６２Ｒ、６２Ｇ、６２Ｂによって変調され、走査搬送されるカットシート状の感光材料Ａの感光面を露光して画像を潜像化する。
その後、感光材料Ａは、発色現像槽７４、漂白定着槽７６、水洗槽７８ａ、７８ｂ、７８ｃおよび７８ｄ、乾燥部を通過することによって、それぞれの処理槽において所定の処理が施され、プリントＰが出力される。
なお、本実施例の画像の読み取りは、画像処理条件を決定するために予め画像を粗に読み取るプレスキャンを行うことなく、画像データを得るために画像を密に読み取るファインスキャンを行っているが、プレスキャンによる画像読取を予め行って画像処理条件を決定した後、画像を密に読み取るファインスキャンを行ってもよい。
【手続補正７】
【補正対象書類名】明細書
【補正対象項目名】００５４
【補正方法】変更
【補正の内容】
【００５４】
画像出力装置１０におけるすべての処理が終了してオペレータによる画像出力装置１０の稼動終了の指示が行われると、稼動終了の前に、画像出力装置１０の終了点検が開始され、画像出力装置１０の各種設定値や各構成部分が初期状態に戻されるとともに、画像出力装置１０の稼動開始から情報記録部１９に記録された稼動情報やエラー発生情報が情報記録部１９から呼び出され、制御部４４において、稼動ログ内に書き込まれた各種稼動情報が集計されて累積稼動情報が求められ、稼動情報とともに稼働ログが作成される。あるいは、累積稼働情報のみからなる稼働ログが作成される。また、このような累積稼動情報の計算は、稼動終了の場合に限られず、オペレータの指示による任意な時間に行われてもよい。また、集計される稼動情報は稼動開始より書き込まれる稼動情報に限られず、所定の期間中または所定の処理回数の間に書き込まれる稼動情報であってもよい。
また、エラー発生情報も１つにまとめられてエラーログが作成される。なおエラー発生情報が情報記録部１９に記録されていない場合、エラーログは作成されず、遠隔管理装置６に送信されない。
【手続補正８】
【補正対象書類名】明細書
【補正対象項目名】００５８
【補正方法】変更
【補正の内容】
【００５８】
遠隔管理プログラムでは、遠隔管理装置６の図示されないメモリから記録保持されている画像出力装置１０の各構成部品の動作回数や動作時間等に関する過去の総累積稼動情報が呼び出され、この総累積稼動情報に、今回転送された稼動ログに記録される累積稼動情報が加えられて、新たな総累積稼動情報が求められ、各構成部品の動作保証限界の定められている限界動作回数や限界動作時間等と比べられて、構成部分の性能劣化や寿命が判断される。
【手続補正９】
【補正対象書類名】明細書
【補正対象項目名】００６１
【補正方法】変更
【補正の内容】
【００６１】
さらに、画像処理部１４のテンプレート画像の画像合成処理の処理数がテンプレート画像毎に集計され、集計結果より、テープレート画像の合成処理回数とテープレート画像の合成処理の課金情報とから、テンプレート画像の使用料金が計算され、画像処理装置１０の保有者や使用者等への請求伝票が作成され、この請求伝票を画像出力装置１０への通知情報とすることができる。またテンプレート画像は、年や季節に応じて種々の画像を遠隔管理装置６から送信し、例えば年末には翌年用カレンダーのテンプレート画像として、また年賀状用テンプレート画像として画像出力装置１０に転送することができる。
このような課金処理は、テンプレート画像の合成処理に限られず、所定の画像処理等について適用してもよい。
遠隔診断プログラムは、画像出力装置１０から転送された累積稼動情報より求められた新たな総累積稼動情報が、遠隔管理装置６のメモリに記録される。
【手続補正１０】
【補正対象書類名】明細書
【補正対象項目名】００６５
【補正方法】変更
【補正の内容】
【００６５】
このような遠隔管理によって画像出力装置１０に送信される通知情報は、画像出力装置１０の次の稼動開始の際に受信情報の中から新規情報として識別され、ディスプレイ５２に通知内容が表示される。また稼動開始の際、画像出力装置１０に配信されたテンプレート画像の画像データも識別され、ディスプレイ５２にその旨が表示され、テンプレート画像記憶部４２に自動的に記録される。
【手続補正１１】
【補正対象書類名】図面
【補正対象項目名】図２
【補正方法】変更
【補正の内容】
【図２】
2001183759.tif 000001
【手続補正１２】
【補正対象書類名】図面
【補正対象項目名】図３
【補正方法】変更
【補正の内容】
【図３】
2001183759.tif 000002